(57)【要約】【課題】蓋を開けずに添加物を容器内に注入でき、添加物消費後の包装体の後片付けが不要な蓋体を提供し、また、添加物を収容している包装体を予め備え、客の要求に応じて即時提供でき、添加物を容易かつ確実に注入でき、添加物消費後の包装体の後片付けが不要な包装体付き蓋体を提供する。【解決手段】蓋体（Ａ）  の上面の凹部（３）  を形成している壁面（２）  に相対向する一対の押え部材（５）  を突設し、凹部の底面に押え部材の下方において押え部材を結ぶ直線と平行な破断線（６）  を形成してなり、凹部には折曲げ破断開封式の包装体（Ｂ）  が、その袋を基板の上側に位置させた状態で収容可能であり、押え部材（５）  は収容された包装体の基板の長さ方向中間部を凹部底面との間に挟持するようにした。包装体付き蓋体は、上記蓋体に上記包装体を予め収容保持している。【選択図】      図３
2004256136.tif 000002
【特許請求の範囲】
【請求項１】
上面に凹部を有し、その凹部を形成している壁面に互いに対向して突出する一対の押え部材が設けられ、前記凹部の底面板には、前記押え部材の下方において前記押え部材を結ぶ直線と平行な破断線が形成され、又は前記押え部材を結ぶ直線の下方において前記凹部の底面板にスリットもしくは開口が形成されており、前記凹部には、基板の裏面に周縁が接合されて密封された可撓性シート製袋の中に添加物が収容されかつ前記基板を長さ方向中間部において折曲げることにより前記基板が破断されて前記袋が開封され、その破断部分から添加物が注出されるようにした包装体が、前記袋を前記基板の上側に位置させた状態で収容可能であり、前記押え部材はその収容される包装体の基板の長さ方向中間部分の両端部を押えることを特徴とする蓋体。
【請求項２】
凹部を形成している壁面の、一対の押え部材を結ぶ直線と交差する直線に沿って対向する位置又は前記凹部の底面に、前記押え部材により保持された包装体の基板の端縁を摩擦係止する係止部を設けたことを特徴とする請求項１に記載された蓋体。
【請求項３】
上面に一対の凹部を近接して有するとともに、その一対の凹部はそれらの凹部よりも浅い中間凹部により連通され、その中間凹部を形成している互いに反対側の壁面に互いに対向して突出する一対の押え部材が設けられ、前記中間凹部の底面板には、前記押え部材の下方において前記押え部材を結ぶ直線と平行な破断線が形成され、又は前記押え部材を結ぶ直線の下方において前記凹部の底面板にスリットもしくは開口が形成されており、前記一対の凹部及び中間凹部には、基板の裏面に周縁が接合されて密封された可撓性シート製袋の中に添加物が収容されかつ前記基板を長さ方向中間部において折曲げることにより前記基板が破断されて前記袋が開封され、その破断部分から添加物が注出されるようにした包装体が、前記袋を前記基板の下側に位置させた状態で収容可能であって、前記袋は前記一対の凹部に収容され、前記基板はその長さ方向中間部分が前記中間凹部に収容され、前記押え部材はその収容される包装体の基板の長さ方向中間部分の両端部を押えることを特徴とする蓋体。
【請求項４】
凹部を形成している壁面又は中間凹部を形成している壁面の、一対の押え部材を結ぶ直線と交差する直線に沿って対向する位置に、前記押え部材により保持された包装体の基板の端縁を摩擦係止する係止部を設けたことを特徴とする請求項３に記載された蓋体。
【請求項５】
上面に凹部を有し、その凹部を形成している壁面に前記凹部の底面から僅かに上方に離れた位置において互いに対向する一対の押え部材が突設され、前記凹部の底面板には、前記押え部材の下方において前記押え部材を結ぶ直線と平行な破断線が形成され、又は前記押え部材を結ぶ直線の下方において前記凹部の底面板にスリットもしくは開口が形成されており、前記凹部には、基板の裏面に周縁が接合されて密封された可撓性シート製袋の中に添加物が収容されかつ前記基板を長さ方向中間部において折曲げることにより前記基板が破断されて前記袋が開封され、その破断部分から添加物が注出されるようにした包装体が、前記袋を前記基板の上側に位置させた状態で収容されており、前記押え部材はその収容されている包装体の基板の長さ方向中間部分の両端部を押えていることを特徴とする包装体付き蓋体。
【請求項６】
上面に一対の凹部を近接して有するとともに、その一対の凹部はそれらの凹部よりも浅い中間凹部により連通され、その中間凹部を形成している互いに反対側の壁面に前記中間凹部の底面から僅かに上方に離れた位置において互いに対向する一対の押え部材が突設され、前記中間凹部の底面板には、前記押え部材の下方において前記押え部材を結ぶ直線と平行な破断線が形成され、又は前記押え部材を結ぶ直線の下方において前記凹部の底面板にスリットもしくは開口が形成されており、前記一対の凹部及び中間凹部には、基板の裏面に周縁が接合されて密封された可撓性シート製袋の中に添加物が収容されかつ前記基板を長さ方向中間部において折曲げることにより前記基板が破断されて前記袋が開封され、その破断部分から添加物が注出されるようにした包装体が、前記袋を前記基板の下側に位置させた状態で収容され、かつ、前記袋は前記一対の凹部に収容され、前記基板はその長さ方向中間部分が前記中間凹部に収容され、前記押え部材はその収容されている包装体の基板の長さ方向中間部分の両端部を押えていることを特徴とする包装体付き蓋体。
【請求項７】
包装体を凹部に収容した後に、蓋体の周壁上端部にシールを剥離可能に貼り付けて、凹部を密閉してあることを特徴とする請求項５に記載された包装体付き蓋体。
【請求項８】
包装体を凹部に収容した後に、蓋体の周壁上端部にシールを剥離可能に貼り付けて、凹部及び中間凹部を密閉してあることを特徴とする請求項６に記載された包装体付き蓋体。
【発明の詳細な説明】
【０００１】
【発明の属する技術分野】
本発明は、添加物を収容している包装体（本明細書ではこれを単に包装体という。）を収容して保持する機能と、保持した包装体の開封注出を補助する機能とを有する蓋体及び包装体を予め備えている包装体付き蓋体に関する。
【０００２】
【従来の技術】
ファストフード店やビュッフェ等で、客に飲食物を使い捨て容器（カップ等）に入れて提供する時は、その飲食物用の添加物を収容している包装体が一緒に提供される場合がある。飲食物を入れた容器を持って場所を移動中にその飲食物  （以下、被収容物という場合がある。）が零れることを防ぐため、容器に蓋を閉めた状態で提供されることが多い。
【０００３】
【発明が解決しようとする課題】
包装体が提供される形態には、（ａ）蓋から独立して作られた包装体が蓋から分離された状態で提供される場合と、（ｂ）蓋から独立して作られた包装体が蓋の中に収容して提供される場合と、（ｃ）包装体が蓋と一体に形成されている場合（特許文献１〜５参照）とがある。
【０００４】
【特許文献１】
特開平７−１０１７１号公報
【特許文献２】
特開平９−２５１６号公報
【特許文献３】
特開平９−３０１４１９号公報
【特許文献４】
特開２００１−２７０５４６号公報
【特許文献５】
特開２００２−１７９１７４号公報
【０００５】
（ａ）の別体の包装体を用いる場合は、容器から蓋を外した後、包装体を開封注出して添加物を容器の中に注入するが、その開封作業中に、テーブルの上などに置かれている容器に接触してこれを転倒させ、被収容物を零してしまうことがあり、また、包装体から添加物を容器の中に常に旨く注入できるとは限らず、容器の外に注出してしまうこともある。また、添加物注出後の空になった包装体又は添加物が残留している包装体がゴミとなり、テーブル上の放置・散乱、又は、残留添加物の漏出によるテーブル汚染などの店内環境悪化の原因となり、店側は客が退出した後のゴミの後片付けに手間がかかる。
そのため、包装体を保持する機能を有する蓋体の出現が待望されたことから、上記（ｂ）と（ｃ）の提供形態に発展したが、（ｂ）の場合は、まず容器から蓋を外して、その蓋の中から包装体を取り出し、その後に包装体の開封注出作業を行うので、（ａ）の場合と同様の問題点がある。また、（ａ）（ｂ）のいずれの場合も、添加物注入後に容器の被収容物と添加物を混合するためシェイクするときは、再び蓋を装着しなければならないという煩わしさがある。
一方、（ｃ）の包装体を一体に有する蓋体、すなわち、包装体付き蓋体は、上記ゴミ発生やテーブル汚染などの問題が生じない利点を有するが、従来の包装体付き蓋体は、形状が複雑であるため、製造困難及び製造コスト上昇の難点があった。さらに、包装体の開封及び添加物の注出が容易にできない、開封動作の際に容器が激しく揺らされて内容物が零れる、などの問題点があった。
【０００６】
基板の裏面に可撓性合成樹脂シートの周縁を接合して基板ととに袋を形成し、その袋の中に添加物を密封して、基板をその長さ方向中間部分でＶ字形に折曲げることにより、基板を破断すると同時に袋を開封して、基板で押圧された袋の中の添加物を破断部分から注出させるようにした折曲げ破断開封式の包装体が、昭和６３年頃から各種知られている（特許文献６〜１０参照）。この包装体は、開封具を必要とせず、添加物の任意量の注出が可能であるという利点を有する。
【０００７】
【特許文献６】
実開昭６３−５９８５９号公報
【特許文献７】
実開昭６４−２７７６号公報
【特許文献８】
実開平６−６７３６９号公報
【特許文献９】
特開平３−２５６８６２号公報
【特許文献１０】
特開平８−２３０９５４号公報
【特許文献１１】
特開２００２−２０４６６７号公報
【０００８】
本発明は、上記の事情に鑑みてなされたものであり、その第一の課題は、簡単な構造で既製の任意の折曲げ破断開封式の包装体の装着が可能で、蓋を開けずに容易かつ確実に添加物を容器内に注入することができ、しかも、添加物消費後の包装体が散乱せず、後片付けが不要な蓋体を提供することにある。
【０００９】
本発明の第二の課題は、客の要求に即時対応して要求に合った種類の添加物を収容している蓋体を提供することができ、蓋を開けずに容易かつ確実に添加物を容器内に注入することができ、しかも、添加物消費後の包装体の後片付けが不要な包装体付き蓋体を提供することにある。
【００１０】
【課題を解決するための手段】
上記課題を解決し得る本発明に係る蓋体及び包装体付き蓋体は、いずれも、折曲げ破断開封式の包装体を収容して保持する機能と、保持されている包装体の破断開封を補助する機能とを有していることを共通の特徴としている。
【００１１】
すなわち、請求項１の発明に係る蓋体は、上記第一の課題を解決するため、上面に凹部を有し、その凹部を形成している壁面に互いに対向して突出する一対の押え部材が設けられ、前記凹部の底面板には、前記押え部材の下方において前記押え部材を結ぶ直線と平行な破断線が形成され、又は前記押え部材を結ぶ直線の下方において前記凹部の底面板にスリットもしくは開口が形成されており、前記凹部には、基板の裏面に周縁が接合されて密封された可撓性シート製袋の中に添加物が収容されかつ前記基板を長さ方向中間部において折曲げることにより前記基板が破断されて前記袋が開封され、その破断部分から添加物が注出されるようにした包装体が、前記袋を前記基板の上側に位置させた状態で収容可能であり、前記押え部材はその収容される包装体の基板の長さ方向中間部分の両端部を押えることを特徴としている。
この蓋体は、飲食物が提供される時に、蓋体の凹部に客の要求に合った種類の添加物を有する包装体を袋が基板の上側に存在する姿勢で装填して、その飲食物を収容した容器本体に装着して使用される。その飲食物を受け取った客が、包装体の基板の長さ方向両端部側を摘み上げ、そのまま近接するように押圧すると、押え部材が基板の長さ方向中間部分を押えているため、基板はその長さ方向中間部分において折曲げられ、かつ、押え部材が梃の支点として作用して、基板の長さ方向中間部分を下方に押し出すため、基板は長さ方向中間部分において破断され、また蓋体の凹部の底面板に破断線が形成してある場合は、その破断線において破断される。凹部の底面板にスリットや開口が形成されている場合は、基板の破断された部分がそのスリットや開口を通して下方に臨む。従って、基板の押圧により圧力を高められた袋内の添加物が蓋体の下方に噴出又は押し出される。
【００１２】
上記の蓋体においては、凹部を形成している壁面の、一対の押え部材を結ぶ直線と交差する直線に沿って対向する位置又は前記凹部の底面に、前記押え部材により保持された包装体の基板の端縁を摩擦係止する係止部を設けることが望ましい。
このような係止部を設けた場合は、包装体を折曲げ押圧して添加物を注出した後、基板を再び拡開してその端縁を係止部に係止することができ、包装体が折曲げられた不様な状態を露呈することを防止することができる。
【００１３】
請求項３の発明に係る蓋体は、上記第一の課題を解決するため、上面に一対の凹部を近接して有するとともに、その一対の凹部はそれらの凹部よりも浅い中間凹部により連通され、その中間凹部を形成している互いに反対側の壁面に互いに対向して突出する一対の押え部材が設けられ、前記中間凹部の底面板には、前記押え部材の下方において前記押え部材を結ぶ直線と平行な破断線が形成され、又は前記押え部材を結ぶ直線の下方において前記凹部の底面板にスリットもしくは開口が形成されており、前記一対の凹部及び中間凹部には、基板の裏面に周縁が接合されて密封された可撓性シート製袋の中に添加物が収容されかつ前記基板を長さ方向中間部において折曲げることにより前記基板が破断されて前記袋が開封され、その破断部分から添加物が注出されるようにした包装体が、前記袋を前記基板の下側に位置させた状態で収容可能であって、前記袋は前記一対の凹部に収容され、前記基板はその長さ方向中間部分が前記中間凹部に収容され、前記押え部材はその収容される包装体の基板の長さ方向中間部分の両端部を押えることを特徴としている。
この蓋体が、客が求めた時に希望の種類の添加物を収容する包装体を装填して提供することができる点は、請求項１の蓋体と同じであるが、包装体は基板を上側に、袋を下側に向けて保持されるので、その基板の表面に印刷された添加物の種類を示す文字や注出方法説明文などを提示することができる。そして、飲食物を収容し、包装体を備えた蓋体を装着された容器本体を受取った客は、その包装体を天地逆転して一対の押え部材で包装体の基板を保持し、その包装体の長さ方向両端部を持上げて折曲げ、袋を押圧すると、請求項１の蓋体の場合と同様に、押え部材の作用により、基板の長さ方向中間部分及び袋が破断されて、袋の中の添加物が注出され、かつ、蓋体の中間凹部の底面板が破断開口されて、又は破断された袋から直接にスリット又は開口より容器本体の中に注出される。
【００１４】
上記蓋体においても、凹部を形成している壁面又は中間凹部を形成している壁面の、一対の押え部材を結ぶ直線と交差する直線に沿って対向する位置に、前記押え部材により保持された包装体の基板の端縁を摩擦係止する係止部を設けることが望ましい。
この場合も、包装体を折曲げ押圧して添加物を注出した後、基板を再び拡開してその端縁を係止部に係止することができるので、包装体が折曲げられた不様な状態を露呈することを防止することができる。
【００１５】
請求項５の発明に係る包装体付き蓋体は、上記第二の課題を解決するため、上面に凹部を有し、その凹部を形成している壁面に前記凹部の底面から僅かに上方に離れた位置において互いに対向する一対の押え部材が突設され、前記凹部の底面板には、前記押え部材の下方において前記押え部材を結ぶ直線と平行な破断線が形成され、又は前記押え部材を結ぶ直線の下方において前記凹部の底面板にスリットもしくは開口が形成されており、前記凹部には、基板の裏面に周縁が接合されて密封された可撓性シート製袋の中に添加物が収容されかつ前記基板を長さ方向中間部において折曲げることにより前記基板が破断されて前記袋が開封され、その破断部分から添加物が注出されるようにした包装体が、前記袋を前記基板の上側に位置させた状態で収容されており、前記押え部材はその収容されている包装体の基板の長さ方向中間部分の両端部を押えていることを特徴としている。
【００１６】
また、請求項６の発明に係る包装体付き蓋体は、上記第二の課題を解決するため、上面に一対の凹部を近接して有するとともに、その一対の凹部はそれらの凹部よりも浅い中間凹部により連通され、その中間凹部を形成している互いに反対側の壁面に前記中間凹部の底面から僅かに上方に離れた位置において互いに対向する一対の押え部材が突設され、前記中間凹部の底面板には、前記押え部材の下方において前記押え部材を結ぶ直線と平行な破断線が形成され、又は前記押え部材を結ぶ直線の下方において前記凹部の底面板にスリットもしくは開口が形成されており、前記一対の凹部及び中間凹部には、基板の裏面に周縁が接合されて密封された可撓性シート製袋の中に添加物が収容されかつ前記基板を長さ方向中間部において折曲げることにより前記基板が破断されて前記袋が開封され、その破断部分から添加物が注出されるようにした包装体が、前記袋を前記基板の下側に位置させた状態で収容され、かつ、前記袋は前記一対の凹部に収容され、前記基板はその長さ方向中間部分が前記中間凹部に収容され、前記押え部材はその収容されている包装体の基板の長さ方向中間部分の両端部を押えていることを特徴としている。
【００１７】
包装体付き蓋体は、包装体を凹部に収容した後に、蓋体の周壁上端部にシールを剥離可能に貼り付けて、凹部又は凹部及び中間凹部を密閉してあることが望ましい。
このようなシールで密閉した包装体付き蓋体は、包装体を収容保持する状態で長期間保管される間に、包装体に塵埃などが付着して非衛生的になるのを有効に防止することができる。
【００１８】
【発明の実施の形態】
続いて、本発明の実施の形態について、図面を参照しながら説明する。
図１は第一の実施例における蓋体の斜視図、図２はその蓋体の断面図、図３は蓋体の使用状態を示す図２に対応する断面図、図４は蓋体に装着された包装体から添加物を注出する時の作用を説明する断面図、図５は第一の実施例の変形例を示す斜視図である。
図６は第二の実施例における蓋体の斜視図、図７はその蓋体の断面図、図８は蓋体の使用状態を示す図７に対応する断面図、図９は蓋体に装着された包装体から添加物を注出する時の作用を説明する断面図である。
【００１９】
蓋体Ａは、好ましくは透明合成樹脂で薄肉に成形され、飲食物をを収容して提供するために一般的に使用されている使い捨てカップ等の容器本体の開口を密閉することができるものである。この蓋体Ａは、外周壁１の内側に内周壁２により形成された、上面に開口する凹部３を有し、その内周壁２に、凹部の底面（底面板４の上面）から僅かに上方に離れた位置において互いに対向して突出する一対の押え部材５が設けられている。また、凹部３の底面板４には、一対の押え部材５を結ぶ直線の下方において、その直線と平行な破断線６が形成されている。好ましくは、破断線６が後述されるように、この蓋体に装着される包装体から、これに収容されている添加物を抽出する動作を行う際に、その破断線が所要の大きさの間隙を形成するように、破断線６の両端部にその破断線と交差する方向に延びる補助破断線６ａが形成されて、破断線の端部と補助破断線とがＹ字形又はＴ字形に連続している。
【００２０】
凹部３は、その凹部の中に添加物を収容している折曲げ破断開封式の包装体を所定の形態で収容して、一対の押え部材５により保持することができる容積と面積を有している。
ここで、折曲げ破断開封式の包装体について、図３に例示したものを参照して説明すると、包装体Ｂは、ほぼ矩形の多少の剛性を有する基板１１の裏面に可撓性合成樹脂シートの周縁を接着又は溶着などにより接合仕手、基板とともに袋１２を形成し、その袋の中に任意の添加物、例えば砂糖、ミルク、シロップ、レモン水、各種調味料、薬味等の飲食物に添加される液体、粉粒体などを充填したものであり、通常は、基板１１の長さ方向中間位置に破断線（又は弱め線もしくは折り目線。以下、同じ）１３が設けられ、また、袋は基板１１の長さ方向中間部の両側に設けられている。そして、基板１１をその長さ方向中間部において袋１２が押圧されるようにＶ字形に折曲げることにより、基板１１が破断線１３の部分において破断して開封されるとともに、袋の中の添加物が加圧されて、その破断部分から注出（又は噴出）されるものである。
本発明において用いられる包装体Ｂは、このように基板の折曲げ破断開封及び袋の押圧により被収容物が基板の破断部分から注出される形態のものであれば、いかなる既知のもの及び他のいかなる構成が付加されたものでも構わない。
【００２１】
そして、一対の押え部材５は、図３に示すように、包装体Ｂが基板１１を下側に袋１２を上側にした姿勢で蓋体Ａの凹部３に収容されたときに、その基板１１の長さ方向中間部、すなわち、破断線１３が形成されている部分であって、かつ、袋１２の間の領域の両側部分を凹部３の底面４との間で挟持又は押えることができる長さと間隔を有している。従って、この蓋体Ａに装着される包装体Ｂは、基板１１の大きさが凹部３の大きさ及び壁面３の一対の押え部材５が突設されている部分の間の距離に応じて決定され、袋１２の大きさを凹部３の容積の範囲内で変えることにより、添加物の容量の異なる包装体Ｂの装着が可能である。
【００２２】
蓋体Ａは薄肉に成形されて可撓性及び弾性を有するので、凹部３の内壁面２に一対の押え部材５が対向突設されていても、例えば、蓋体を一対の押え部材５が互いに離間するように折曲げれば、包装体Ｂを凹部３に嵌合し、かつ、基板１１の両側部分を押え部材５と底面板４の間に容易に挿入させ、保持させることができる。包装体Ｂの基板を一対の押え部材５の下側に嵌合保持させる方法は任意であり、例えば、押え部材５と基板１１の幅寸法や袋１２の厚みなどの設定により、包装体Ｂを基板の長さ方向にスライドして装着することもできる。
【００２３】
蓋体Ａの凹部３の形状が、図示の例のように矩形である場合は、内周壁２の押さえ部材５を結ぶ直線に関して互いに反対側における部分に凹部３の開口面から底面４まで達し、図３に示すように凹部３に包装体Ｂが装着されている状態で、指先を凹部３の底面４付近まで挿入できる空隙を形成する縦凹部７が形成されていることが好ましい。
このような縦凹部７が両側に設けてある場合は、凹部３の中に凹部の底面の全部を覆うような基板を有する包装体が蓋体Ａに装着された場合も、それら二つの縦凹部７に指先を挿入して、基板１２の長さ方向両端部を容易に摘み上げ、そのまま、基板の折曲げ、破断及び添加物の注出が可能である。
【００２４】
しかし、蓋体Ａの凹部３の平面形状が六角形以上の多角形、円形又は楕円形である場合は、包装体Ｂが凹部３の所定位置に一対の押え部材５により保持された時は、包装体の基板の長さ方向端部と凹部の内壁面２との間に指先の挿入が可能な空隙が当然に生じるので、図示の例のような縦凹部７を設ける必要はない。
また、図５に例示するように、蓋体ＡＥ´の周壁の押え部材５同士を結ぶ直線に関して互いに反対側における部分を凹部の底面とほぼ等しい位置まで切除して、凹部３を外側に連通する連通凹部７´を設け、かつ、包装体Ｂの基板１１の長さ方向両端部をその連通凹部７´から外側に突出するようにしてもよく、この場合は、蓋体に装着された包装体から添加物を注出させたいときは、基板１１の両端部に指先をかけて容易に引き上げることができる。
【００２５】
上記構成の蓋体は、包装体と分離され、独立しているので、飲食物を入れた容器を客に引き渡す商品引渡し口の付近に堆積して備蓄され、この蓋体に装着して提供される包装体は、中に収容されている添加物の種類によっては品質保持のため、冷蔵庫内等に備蓄される。従って、蓋体のみでまとめて保管し、包装体のみをまとめて冷蔵庫等に保管できるので、保管性に優れている。
そして、客から飲食物の注文を受けた時に、客の希望に合う添加物を収容している包装体Ｂを冷蔵庫等から取り出し、これを蓋体Ａの凹部３に収容して保持する。すなわち、包装体Ｂを所定の向き、すなわち、図３に示すように基板１１を下側、袋１２を上側に向けた状態で、基板１１の両側部分を蓋体Ａの若干の湾曲により離間された一対の押え部材５と凹部３の底面４の間に挿入し、蓋体Ａの湾曲を止めると、その蓋体の弾性復帰により、包装体Ｂが凹部３に収容され、かつ、一対の押え部材５の間に保持される。この包装体Ｂを収容した蓋体Ａが注文された飲食物を収容した容器Ｃに装着されて、客に引き渡される。
【００２６】
蓋体Ａを装着した容器Ｃを受取った客は、被収容物に添加物を加えたい時は、図３に示すように蓋体Ａの凹部３に収容されている包装体Ｂの両側の縦凹部７に例えば親指と人差し指の指先を挿入して、包装体の基板１１を摘み上げ、そのまま図４に示すようにその両指先ｆ１，ｆ２を接近させると、基板１１の長さ方向中間部分の両側が一対の押え部材５により押えられているため、基板１１が破断線１３において折曲げられて両側の袋１２が互いに押圧して中の添加物が加圧され、かつ、その折曲げられる部分が押え部材５により下方に押し出されるため、基板１１が破断線に沿って破断開封されると同時に、蓋体Ａの凹部３の底面板４が破断線において破断されるので、袋１２の中の添加物１４が容器Ｃの中に注出又は噴出される。つまり、蓋体Ａの包装体保持機能と押え部材５による包装体破断開封補助機能により、包装体Ｂが蓋体Ａに装着されたまま、単に基板１１の両端部を持ち上げてそのまま押し付けるだけで、添加物が注出される。すなわち、蓋を開けずに添加物を容器内に注入することができる。従って、客は別体の包装体を持つ必要がないので、飲食物の持ち運びが容易であり、また、添加物を誤って容器の外に零すことなく、確実に容器内に注出することができる。そして、添加物注出後は、基板を再び広げてその端部を凹部３の中に収容し、底面板４方向に押し付けて固定すれば、空になった包装体が見苦しい状態で露見されることがない。
【００２７】
添加物注出後の包装体の基板を再度広げて凹部３内に収容した時、基板１１又は袋１２の復元力により基板がＶ字形に立上がることを防ぐため、蓋体Ａの内周壁の、一対の押え部材５を結ぶ直線と交差する直線に沿って対向する位置において、底面板４に近接する位置まで広げられた基板を摩擦係止する係止部８、例えば半球状に突出する突起や三角形の爪等の基板と弾性的に係合するものを形成することが望ましい。
【００２８】
さらに、蓋体Ａの凹部の底面板４に、蓋体に装着した包装体Ｂの基板により遮蔽されない位置、又は蓋体の外周の突堤に、必要に応じて容器Ｃにストローを差し込むことができる孔９又はストローの先端で押すと破断されてストロー差し込み孔を形成する破断線、あるいは飲み口が設けられていることが望ましい。
【００２９】
図１は、蓋体Ａの外形形状が矩形である場合を例示しているが、蓋体Ａの外形形状は容器本体の開口部の形状に合わせて、円形、楕円形その他任意である。また、折曲げ破断開封式の包装体の基板を持ち上げ押圧して破断開封し、加圧された添加物を蓋体の下方に噴出させるには、凹部底面板に破断線６を設ける代わりに、スリット又は開口を形成してもよい。添加物注出後に基板を当初の位置まで広げれば、それらのスリット又は開口が基板により遮蔽されるので、被収容物を漏らすことなく容器をシェイクすることができる。
【００３０】
第一の実施例は、蓋体の凹部３の形状が、包装体Ｂの袋１２を上向きにして蓋体Ａに装着保持するように設計されたが、この場合は、袋の添加物の種類が容易に判るようにするためには、袋を透明材料で作る必要がある。しかし、蓋体の上面に添加物が露見されるのは好まれない場合もある。他方、透明材料を用いない場合は、袋の底面に添加物の種類を示す文字等を印刷する必要があるが、食品衛生上の問題を孕まないインクは高価であるという弱点がある。
【００３１】
図６以下の図面に示された第二の実施例は、蓋体の凹部の形状を、袋１２が下向き、基板１１の表面が上向きになるように包装体Ｂを装着保持できるように設計したものである。すなわち、凹部を左右二つの凹部３ａ，３ｂに分け、それぞれの凹部３ａ，３ｂに包装体Ｂの袋１２を収容できるようにし、それら二つの凹部の間に、浅い中間凹部３ｃを設けて、二つの凹部３ａ，３ｂを中間凹部３ｃで連通させてある。そして、中間凹部３ｃを形成する互いに反対側の壁面２´に、その中間凹部の底面板４´から僅かに上方に隔てた位置において、押え部材５を突設してある。従って、この実施の形態の場合も、壁面２´の間隔は、包装体Ｂの基板１１の幅よりも若干大きい程度になるように設計されている。また、中間凹部３ｃの底面板４´には、押え部材５同士を結ぶ直線の下方において、その直線と平行に延びる破断線６及びその破断線の両端部にＹ字形又はＴ字形となるように補助破断線６ａ´が形成されている。
【００３２】
上記構成により、この場合の蓋体ＡＥには、図７に示すように、包装体Ｂが基板１１の表面を上向きに、袋１２を下向きにして装着される。そして、袋１２は左右の凹部３ａ，３ｂに収容され、基板１１の長さ方向中間部は中間凹部３ｃに収容され、かつ、その基板の中間部分の幅方向端部が一対の押え部材５により保持される。
基板１１が上側に向けられ、袋１２が隠蔽されるので、袋が透明材料、不透明材料のいずれで作られても差支えなく、添加物が露見されることがない。また、基板の表面が上向きになるので、この基板の表面に添加物の種類を示す文字や添加物注出方法説明文等を印刷すれば、容器に入れて飲食物を提供された客は、蓋体ＡＥの上面を見ることにより、添加物の種類や添加物注出方法を容易に確認できる利点がある。
【００３３】
この実施例においても、蓋体ＡＥの内周壁２又は壁面２´の一対の押え部材５を結ぶ直線と交差する直線に沿って対向する位置に、添加物注出後の基板を再び拡開した時に摩擦係止する係止部８を設けておくことが望ましい。
【００３４】
上記構成を有する蓋体ＡＥは、先の実施例による蓋体Ａと同様に、飲食物を客に提供する時に、その要求に応じた種類の添加物を収容する包装体Ｂを、例えば冷蔵庫から取り出し、図８に示すように、袋１２を下側にし、基板１１を上側にしてそれぞれを凹部３ａ，３ｂ及び中間凹部３ｃに収容し、基板１１の幅方向両端部を一対の押え部材５により保持して、その蓋体ＡＥを容器本体Ｃに被せて提供される。
【００３５】
蓋体ＡＥを装着した容器Ｃを受取った客が添加物を容器の中に取込みたい場合は、図８に示す状態の包装体Ｂを一旦蓋体ＡＥから取り出し、基板１１と袋１２を上下反転して再び蓋体ＡＥの凹部３ａ，３ｂ，３ｃに装填し、基板１１の長さ方向中間部の両側部分を押え部材５により保持する。
【００３６】
以後は、先の実施例の場合と同様に、図９に示すように、基板の長さ方向両端部を指先で摘み上げ、接近させて、袋１２を圧縮させると同時に、押え部材５の開封補助作用により、基板１１をその長さ方向中間位置において破断線に沿って破断させ、かつ、蓋体ＡＥの中間凹部３ｃの底面板を破断線６´に沿って開口させて、袋１２から加圧された添加物を容器Ｃ内に注出させることができる。中間凹部３ｃの底面板に破断線を設ける代わりに、スリット又は開口を形成してもよいことは、先の実施例の場合と同様である。
【００３７】
以上の本発明に係る蓋体は、包装体から独立しているので、蓋体と包装体はそれぞれ異なる位置で保管可能であり、蓋体は商品引渡し口の付近に積重ねて保管し、包装体は添加物の品質保持のために包装体のみをまとめて冷蔵庫等の中に保管し、客に飲食物が提供される時に所要の包装体を適合する蓋体に収容し、容器本体に装着して、客に提供することができる。従って、保管性に優れている。
しかし、容器本体の大きさ及び形状の種類が少なく、包装体の種類（添加物の種類）が少なく、容量が一定の場合は、全体的な保管スペースを可及的に小さくするため、上記蓋体Ａ及び蓋体ＡＥは、図３及び図８に示すように、凹部３又は３ａ，３ｂ，３ｃに包装体Ｂを予め装着し、一対の押え部材により保持した状態で、すなわち、包装体付き蓋体の形態で店舗等に供給され、又は、商品引渡し口等に備え置かれても良い。
この包装体付き蓋体を装着した容器を購入した客が、その包装体から添加物を容器本体の中に取込む場合の動作は、上述した場合と全く同一である。
【００３８】
なお、包装体付き蓋体は、包装体を収容保持する状態で長期間保管される間に、包装体に塵埃などが付着して被衛生的になる可能性のある環境に供給される場合は、包装体収容後に蓋体の周壁上端部にシールを剥離可能に貼り付けて、凹部３又は３ａ，３ｂ，３ｃを密閉することが好ましい。
【００３９】
【発明の効果】
上述のように、請求項１及び請求項３に係る発明によれば、蓋体は包装体から独立しているので、蓋体と包装体はそれぞれ異なる位置で保管可能であり、蓋体は商品引渡し口の付近に積重ねて保管し、包装体は添加物の品質保持のために包装体のみをまとめて冷蔵庫等の中に保管し、客に飲食物が提供される時に所要の包装体を適合する蓋体に収容し、容器本体に装着して提供することができる。従って、保管性に優れている。また、蓋体は任意の包装体を収容保持する機能と、保持されている包装体の破断開封補助機能とを有するので、包装体を収容した蓋体を装着した容器においては、従来と異なり、蓋を開けずに、容易かつ確実に添加物を容器内に注出することが可能であり、しかも、添加物消費後の包装体が散乱せず、後片付けが不要である。
【００４０】
請求項３の発明によれば、基板が上側に向けられ、袋が隠蔽されるので、袋が透明材料製、不透明材料製のいずれでも、添加物が露見されることがなく、基板の表面が上向きになるので、この基板の表面に添加物の種類を示す文字や添加物注出方法説明文等を印刷すれば、蓋体の上面を見ることにより、添加物の種類や添加物注出方法を容易に確認できる利点がある。
【００４１】
請求項５及び請求項６に係る発明によれば、包装体を予め収容保持して置き、客から要求された場合は、即時、要求に合った種類の添加物を収容している蓋体を提供することができ、加えて、容易かつ確実に添加物の容器内への注出が可能で、しかも、添加物消費後の包装体の後片付けが不要である。そして、容器本体の大きさ及び形状の種類が少なく、包装体の種類（添加物の種類）が少なく、容量が一定の場合は、全体的な保管スペースを可及的に小さくすることができる。
【図面の簡単な説明】
【図１】第一実施例における蓋体の斜視図。
【図２】その蓋体の断面図。
【図３】蓋体の使用状態を示す図２に対応する断面図。
【図４】蓋体に装着された包装体から添加物を注出する時の作用を説明する断面図。
【図５】第一実施例の変形例を示す斜視図。
【図６】第二実施例における蓋体の斜視図。
【図７】その蓋体の断面図。
【図８】蓋体の使用状態を示す図７に対応する断面図。
【図９】蓋体に装着された包装体から添加物を注出する時の作用を説明する断面図。
【符号の説明】
Ａ      蓋体
２      内周壁
３      凹部
４      凹部の底面板
５      押え部材
６      破断線（弱め線）
８      係止部
ＡＥ    蓋体
３ａ，３ｂ  凹部
３ｃ    中間凹部
２´    中間凹部の対向壁面
６´    破断線（弱め線）
Ｂ      包装体
１１    基板
１２    袋
ＡＥ´  包装体
７´    連通凹部
【図１】
2004256136.tif 000003
【図２】
2004256136.tif 000004
【図３】
2004256136.tif 000005
【図４】
2004256136.tif 000006
【図５】
2004256136.tif 000007
【図６】
2004256136.tif 000008
【図７】
2004256136.tif 000009
【図８】
2004256136.tif 000010
【図９】
2004256136.tif 000011